(57)【要約】【課題】携帯端末機を載置した状態でも携帯端末機から放熱することができるクレードル装置を提供すること。【解決手段】クレードル装置１の台本体１５の上面には、凹面状の受け部２が形成されている。受け部２には、爪部３，４、突条５，６、支持凸部９，１０及び爪部材１１が形成されており、これらによって携帯端末機８０が受け部２から浮いた状態となっている。また、台本体１５の底面には、凹部２１が形成されている。受け部２の中央部には、複数の通気孔３０が形成されている。これら通気孔３０は凹部２１の底にまで貫通している。【選択図】図３
2006148465.tif 000002
【特許請求の範囲】
【請求項１】
携帯端末機を伏せた状態で載置する受け部が台本体の上面に設けられたクレードル装置であって、
前記台本体の底面に凹部が設けられ、複数の通気孔が前記受け部から前記凹部の底に貫通していることを特徴とするクレードル装置。
【請求項２】
前記底面に複数の脚部が凸設されていることを特徴とする請求項１に記載のクレードル装置。
【請求項３】
前記受け部が前記携帯端末機の前記受け部に対面する面に沿うように形成され、
前記携帯端末機を前記受け部から浮いた状態に支持する凸部が前記受け部に設けられていることを特徴とする請求項１又は２に記載のクレードル装置。
【請求項４】
前記凸部が前記携帯端末機に係止するよう設けられたことを特徴とする請求項３に記載のクレードル装置。
【請求項５】
前記凹部内にファンが設けられていることを特徴とする請求項１から４の何れか一項に記載のクレードル装置。
【請求項６】
前記底面には、前記凹部の側壁面から前記台本体の外面へ通じた溝が設けられていることを特徴とする請求項１から５の何れか一項に記載のクレードル装置。
【請求項７】
前記凹部の側壁面であって前記溝の対側には、電源用のコネクタが設けられていることを特徴とする請求項６に記載のクレードル装置。
【請求項８】
前記受け部にはヒートシンク部材が前記複数の通気孔を閉塞するように設けられていることを特徴とする請求項１から７の何れか一項に記載のクレードル装置。
【請求項９】
携帯端末機を伏せた状態で載置する受け部が台本体の上面に設けられたクレードル装置であって、
前記受け部に収容凹部が形成され、前記収容凹部内にファンが設けられていることを特徴とするクレードル装置。
【請求項１０】
携帯端末機を伏せた状態で載置する受け部が台本体の上面に設けられたクレードル装置であって、
前記受け部が前記携帯端末機の前記受け部に対面する面に沿うように形成され、
前記携帯端末機を前記受け部から浮いた状態に支持する凸部が前記受け部に設けられていることを特徴とするクレードル装置。
【発明の詳細な説明】
【技術分野】
【０００１】
本発明は、携帯端末機を載置するクレードル装置に関する。
【背景技術】
【０００２】
携帯電話機のような携帯端末機を載置するためのクレードル装置が実用化されており、携帯端末機の二次電池に充電したり、携帯端末機をパーソナルコンピュータと接続してデータ通信をしたりするためにクレードル装置が用いられている。そのため、クレードル装置には充電用端子やデータ通信用コネクタが設けられており、ユーザが携帯端末機をクレードル装置に載置すると、端子やコネクタが携帯端末機に接続して、充電やデータ通信が可能となる（例えば、特許文献１参照。）。
【特許文献１】特開２００３−３１９０４８号公報
【発明の開示】
【発明が解決しようとする課題】
【０００３】
ところで、携携帯端末機に充電したり、携帯端末機を使用したりすると、携帯端末機が発熱する。携帯端末機をクレードル装置に載置した状態では、携帯端末機から放熱することができず、特に携帯端末機の外面とクレードル装置の外面とが向き合う部分に熱が籠もる。
【０００４】
そこで、本発明は、携帯端末機を載置した状態でも携帯端末機から放熱することができるクレードル装置を提供することを目的とする。
【課題を解決するための手段】
【０００５】
以上の課題を解決するために、請求項１に係る発明は、携帯端末機を伏せた状態で載置する受け部が台本体の上面に設けられたクレードル装置であって、前記台本体の底面に凹部が設けられ、複数の通気孔が前記受け部から前記凹部の底に貫通していることを特徴とする
【０００６】
請求項１に係る発明によれば、複数の通気孔が受け部から凹部の底に貫通しているので、複数の通気孔を通じた凹部と受け部との間の対流を起こすことができる。そのため、受け部に携帯端末機が載置された場合でも、受け部と携帯端末機との間に熱が籠もらず、携帯端末機から放熱することができる。
【０００７】
請求項２に係る発明は、請求項１に記載のクレードル装置において、前記底面に複数の脚部が凸設されていることを特徴とする。
【０００８】
請求項２に係る発明によれば、底面を下にして卓上等の載置面にクレードル装置の台本体を載置しても、底面に形成された脚部によって底面が載置面から浮いた状態となるので、凹部が閉塞されない。そのため、複数の通気孔を通じた凹部と受け部との間の対流を起こすことができ、携帯端末機の放熱がより効率よくなる。
【０００９】
請求項３に係る発明は、請求項１又は２に記載のクレードル装置において、前記受け部が前記携帯端末機の前記受け部に対面する面に沿うように形成され、前記携帯端末機を前記受け部から浮いた状態に支持する凸部が前記受け部に設けられていることを特徴とする。
【００１０】
請求項３に係る発明によれば、受け部がその受け部に対面する携帯端末機の面に沿うように形成されていても、携帯端末機を受け部に載置した場合に、凸部によって携帯端末機が受け部から浮いた状態となるので、携帯端末機と受け部との間の隙間を通じて放熱することができる。また、受け部は、その受け部に対面する携帯端末機の面に沿うように形成されているから、受け部に携帯端末機を載置した状態のデザイン性を良くすることができる。
【００１１】
請求項４に係る発明は、請求項３に記載のクレードル装置において、前記凸部が前記携帯端末機に係止するよう設けられたことを特徴とする。
【００１２】
請求項５に係る発明は、請求項１から４の何れか一項に記載のクレードル装置において、前記凹部内にファンが設けられていることを特徴とする。
【００１３】
請求項５に係る発明によれば、凹部内のファンが作動すれば強制対流が生じ、複数の通気孔を通じた凹部と受け部との間の対流も大きくなる。そのため、携帯端末機からより効率よく放熱することができる。
【００１４】
請求項６に係る発明は、請求項１から５の何れか一項に記載のクレードル装置において、前記底面には、前記凹部の側壁面から前記台本体の外面へ通じた溝が設けられていることを特徴とする。
【００１５】
請求項６に係る発明によれば、凹部の側壁面から台本体の外面へ通じた溝が台本体の底面に設けられているから、台本体の外部と凹部が溝によって連通している。そのため、複数の通気孔を通じた凹部と受け部との間の対流を起こすことができ、携帯端末機の放熱がより効率よくなる。
【００１６】
請求項７に係る発明は、請求項１から６の何れか一項に記載のクレードル装置において、前記凹部の側壁面であって前記溝の対側には、電源用のコネクタが設けられていることを特徴とする。
【００１７】
請求項７に係る発明によれば、凹部内において別のコネクタを電源用のコネクタに接続することができ、その別のコネクタから延出した配線を溝に通すことができる。そのため、底面を下にして卓上等の載置面にクレードル装置の台本体を載置しても、携帯端末機を充電することができる。また、別のコネクタを電源用コネクタに接続した場合でも、凹部内に別のコネクタを隠すことができ、充電中でもクレードル装置のデザイン性が損なわれない。
【００１８】
請求項８に係る発明は、請求項１から７の何れか一項に記載のクレードル装置において、前記受け部にはヒートシンク部材が前記複数の通気孔を閉塞するように設けられていることを特徴とする。
【００１９】
請求項８に係る発明によれば、受け部に携帯端末機を載置すれば、受け部に設けられたヒートシンク部材と携帯端末機が接触し、携帯端末機の熱がヒートシンク部材に吸熱される。そして、ヒートシンク部材に吸熱された熱は、複数の通気孔を通じて凹部に放熱される。そのため、携帯端末機から効率よく放熱することができる。
【００２０】
請求項９に係る発明は、携帯端末機を伏せた状態で載置する受け部が台本体の上面に設けられたクレードル装置であって、前記受け部に収容凹部が形成され、前記収容凹部内にファンが設けられていることを特徴とする。
【００２１】
請求項９に係る発明によれば、収容凹部内に設けられたファンが作動することで強制対流が生じ、受け部に載置された携帯端末機が強制対流により冷却される。
【００２２】
請求項１０に係る発明は、携帯端末機を伏せた状態で載置する受け部が台本体の上面に設けられたクレードル装置であって、前記受け部が前記携帯端末機の前記受け部に対面する面に沿うように形成され、前記携帯端末機を前記受け部から浮いた状態に支持する凸部が前記受け部に設けられていることを特徴とする。
【００２３】
請求項１０に係る発明によれば、受け部がその受け部に対面する携帯端末機の面に沿うように形成されていても、携帯端末機を受け部に載置しても、凸部によって携帯端末機が受け部から浮いた状態となるので、携帯端末機と受け部との間の隙間を通じて放熱することができる。
【発明の効果】
【００２４】
本発明によれば、受け部に携帯端末機を載置しても、携帯端末機と受け部との間に熱が籠もることがなく、携帯端末機から放熱することができる。
【発明を実施するための最良の形態】
【００２５】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００２６】
〔第１の実施の形態〕
図１は、クレードル装置１及び携帯端末機８０を示した斜視図である。図１に示すように、携帯端末機８０がクレードル装置１の台本体１５上に載置されている。
【００２７】
携帯端末機８０について図２を用いて説明する。ここで、図２（ａ）は携帯端末機８０の正面図であり、図２（ｂ）は携帯端末機８０の側面図であり、図２（ｃ）は携帯端末機８０の背面図である。この携帯端末機８０は折り畳み型の携帯電話機である。
【００２８】
この携帯端末機８０においては、上筐体８１がヒンジ部８３によって下筐体８２に連結されている。ヒンジ部８３の軸受部９０が上筐体８１の下部前面から前方へ凸設されている。一方、下筐体８２の上部には矩形切欠き状の軸受収納部８９が形成され、軸受収納部８９に軸受部９０が挿入されている。ヒンジ部８３は左右方向を軸方向としており、ヒンジ部８３の軸が軸受部９０及び下筐体８２に連結している。上筐体８１はヒンジ部８３の軸を中心にして下筐体８２に対して回動可能となっている。下筐体８２に対して上筐体８１を閉じた状態では、下筐体８２の前面が上筐体８１の前面に対面するよう設けられている。
【００２９】
軸受収納部８９の壁面には、係止溝９１が凹設されている。
【００３０】
上筐体８１の前面には、液晶ディスプレイパネル又はエレクトロルミネッセンスディスプレイパネルを有する表示部８４が設けられ、下筐体８２の前面には、複数の押釦を有するキー操作部８５が設けられている。
【００３１】
下筐体８２の背面には電池収納部が凹設され、その電池収納部に電池パック８６が装着され、電池パック８６が下筐体８２に対して着脱可能となっている。この電池パック８６は充電可能な二次電池を有する。
【００３２】
電池パック８６の表面には、充電用の端子８７，８８が左右に間隔をあけて形成されている。下筐体８２に電池パック８６が装着された状態では、下筐体８２の背面がなだらかな凸面状となっている。一方、上筐体８１の背面もなだらかな凸面状となっている。
【００３３】
下筐体８２の背面の下側縁部には、係止凹部９２，９３が左右に間隔をあけて形成されている。
【００３４】
クレードル装置１について図３〜図５を用いて説明する。図３は斜め上から見たクレードル装置１の斜視図であり、図４はクレードル装置１の底面図であり、図５は横から見たクレードル装置１の縦断面図である。なお、図５においては、載置された携帯端末機８０の側面も示している。
【００３５】
図４に示すように、クレードル装置１の樹脂製の台本体１５は前側が低く且つ後ろ側が高くなるよう設けられている。図３〜図４に示すように、台本体１５の上面には受け部２が凹設され、この受け部２は下筐体８２の背面に沿うように凹面状に形成されている。受け部２も後ろ側が前側よりも高くなるよう設けられている。
【００３６】
この受け部２には、携帯端末機８０を伏せた状態で下筐体８２の背面を下に向けて載置され、下筐体８２の背面が受け部２に対面する。携帯端末機８０が受け部２に載置された状態では、携帯端末機８０のヒンジ部８３が後ろ側になり、下筐体８２の下部が手前側になり、携帯端末機８０が後傾した状態となっている。
【００３７】
受け部２の前側縁部には、凸部としての爪部３，４が後ろへ突出するよう形成されている。爪部３，４は係止凹部９２，９３にそれぞれ対応し、間隔をあけて左右に並んでいる。携帯端末機８０が受け部２に載置された状態では、爪部３が係止凹部９２に係止し、爪部４が係止凹部９３に係止する。
【００３８】
爪部３の後方においては、前後方向に長尺な凸部としての突条５が受け部２から突出するよう形成され、爪部４の後方においては、前後方向に長尺な突条６が受け部２から突出するよう形成されている。携帯端末機８０が受け部２に載置された状態では、突条５，６が下筐体８２の背面に当接している。
【００３９】
突条５、６のそれぞれのすぐ後ろには、充電用端子７，８が凸設されている。充電用端子７，８は、弾性的に押動可能となっており、自然状態では受け部２から上に突出し、押下されると受け部２から下に引き込む。携帯端末機８０が受け部２に載置された状態では、充電用端子７，８が携帯端末機８０の端子８７，８８にそれぞれ当接する。
【００４０】
受け部２の後ろ側縁部には、凸部としての爪部材１１が設けられている。この爪部材１１は台本体１５の内部から上に突出し、爪部材１１の先端には前方へ指向した爪が形成されている。台本体１５の内部に巻きバネ１２が設けられ、この巻きバネ１２によって爪部材１１が前方へ付勢されている。携帯端末機８０が受け部２に載置された場合、爪部材１１が軸受収納部８９に挿入され、爪部材１１の爪が係止溝９１に係止する。
【００４１】
爪部材１１の左方には、支持凸部９が形成され、爪部材１１の右方には支持凸部１０が形成されている。支持凸部９，１０は受け部２の後ろ側縁部において突出しており、左右方向に見た場合三角形状を呈している。携帯端末機８０が受け部２に載置された場合、支持凸部９，１０の上部が軸受収納部８９に挿入され、支持凸部９，１０の前側傾斜面が軸受収納部８９の縁に当接する。なお、携帯端末機８０を受け部２に載置した状態でも上筐体８１を下筐体８２に対して回動することができ、軸受部９０が支持凸部９，１０の後ろ側傾斜面に当接することによって、上筐体８１が下筐体８２に対して開いた状態で止まる。
【００４２】
受け部２であって支持凸部９，１０の前には押スイッチ１３，１４が設けられている。押スイッチ１３，１４は押動可能となっている。押スイッチ１３，１４が押されると、充電用端子７，８に通電されて充電が可能な状態になり、押スイッチ１３，１４の押下が解除されると、充電用端子７，８に対する通電が遮断されて充電が不可能な状態になる。なお、携帯端末機８０が受け部２に載置されると、下筐体８２の背面によって押スイッチ１３，１４が押される。
【００４３】
図４〜図５に示すように、台本体１５の底面には、凹部２１が凹設され、更に溝２２が凹部２１に連続して形成されている。凹部２１は台本体１５の底面のうち前後中央部から後ろにかけて形成されている。凹部２１は下から見た場合に扇形状を呈しており、扇形の弧となる部分が後ろ側となり、扇形の弦となる部分が前側になる。
【００４４】
溝２２は、扇形の弧となる凹部２１の側壁面２３から台本体１５の外面まで通じている。扇形の弦となる凹部２１の側壁面２４には、雌型の電源コネクタ２５が設けられ、電源コネクタ２５と溝２２が相対している。この電源コネクタ２５は押スイッチ１３，１４を介して充電用端子７，８に電気的に接続されている。
【００４５】
図６に示すように、電源コネクタ２５には充電アダプタの雄型コネクタ４１が嵌め込まれ、コネクタ４１に接続されている配線４２が溝２２に通されている。なお、コネクタ４１はコネクタ２５に対して着脱可能となっており、ユーザが指等を凹部２１に指して、コネクタ４１の可動部４３，４４を指で挟むように押すことで、コネクタ４１とコネクタ２５のロックが解除される。
【００４６】
図４〜図６に示すように、台本体１５の底面であって凹部２１の後方には、脚部２６，２７が下に突出するよう形成されている。脚部２６，２７は溝２２を挟んで左右にあり、凹部２１の縁に沿うように形成されている。台本体１５の底面であって凹部２１の前方には、ゴム状の脚部２８，２９が下に突出するよう設けられている。脚部２８，２９は左右に間をあけて配置されている。
【００４７】
凹部２１の底には複数の通気孔３０が形成されている。これら通気孔３０は凹部２１の底から反対側の受け部２にまで貫通している。図３に示すように、これら通気孔３０が受け部２の中央部において左右方向に長尺な長楕円状に分布している。一方、図５〜図６に示すように、これら通気孔３０が分布している左右の範囲はコネクタ４１の左右幅よりも広くなっている。そのため、コネクタ４１がコネクタ２５に嵌められた場合、コネクタ４１によって通気孔３０の全てが覆われるのではなく、図６に示すように下から見たときに左側と右側にある幾つかの通気孔３０がコネクタ４１からはずれている。
【００４８】
このクレードル装置１を用いる場合には、台本体１５の底面を下にして、台本体１５を卓上等の載置面に載置する。脚部２６〜２９によって台本体１５が支持され、台本体１５の底面が載置面に対して浮いた状態となる。そのため、凹部２１が閉塞されない。
【００４９】
上を向いた受け部２に携帯端末機８０を載置する場合には、下筐体８２の背面を下にして、更にヒンジ部８３を後ろ側にする。係止凹部９２，９３に爪部３，４を係止させ、携帯端末機８０のヒンジ部８３側を受け部２に向けて押せば、爪部材１１が巻きバネ１２に抗して後ろへ回動し、爪部材１１の爪が係止溝９１に係止する。これにより、携帯端末機８０が受け部２に載置されるが、携帯端末機８０が爪部３，４、突条５，６、支持凸部９，１０及び爪部材１１によって支持され、携帯端末機８０の背面が受け部２に対して浮いた状態となっている。また、押スイッチ１３，１４が下筐体８２の背面によって押された状態となっている。
【００５０】
受け部２に載置された携帯端末機８０を上に引けば、爪部材１１と係止溝９１の係止が解除され、携帯端末機８０を取り外すことができる。
【００５１】
なお、下筐体８２の背面を下にして、更にヒンジ部８３を後ろ側にして、受け部２の上で携帯端末機８０を放すだけでも、携帯端末機８０が受け部２に載置される。この場合、受け部２の後ろ側が高く設けられているから、携帯端末機８０が自重により前に滑って、係止凹部９２，９３に爪部３，４が自然に係止し、爪部材１１が自然に係止溝９１に係止する。
【００５２】
充電アダプタのコネクタ４１を電源コネクタ２５に嵌め込めば、受け部２に載置した状態で携帯端末機８０に充電することができる。
【００５３】
載置した状態で携帯端末機８０に充電している時や携帯端末機８０を使用している時には、携帯端末機８０が発熱し、特に受け部２に携帯端末機８０を載置した状態では下筐体８２の背面側に熱が籠もりやすい。
【００５４】
ところが、下筐体８２の背面が受け部２から浮いた状態となっているため、下筐体８２の背面と受け部２との間において自然対流が生じ、これにより携帯端末機８０から放熱される。特に、複数の通気孔３０が受け部２に形成され、それら通気孔３０が凹部２１まで通じているから、それら通気孔３０を通じた自然対流が生じる。そのため、携帯端末機８０から効率よく放熱される。また、台本体１５の底面が脚部２６〜２９によって浮いた状態となっているから、凹部２１がその隙間を通じて外部と通じているので、複数の通気孔３０を通じて自然対流がより生じやすく、携帯端末機８０をより効率よく放熱することができる。勿論、溝２２が充電アダプタの配線４２によって閉塞されていたものとしても、凹部２１が閉塞されていないから、携帯端末機８０から放熱することができる。コネクタ４１を外して溝２２に配線４２がない場合には、溝２２が通気用の溝となる。
【００５５】
なお、複数の通気孔３０を通じて強制対流を生じるようにしても良い。具体的には、凹部２１の底にファンを設け、そのファンで送風することによって複数の通気孔３０を通じて強制対流が生じる。これにより、自然対流の場合よりも効率よく携帯端末機８０を冷却することができる。ファンの送風方向は、凹部２１から通気孔３０を通じて受け部２に向かう方向であっても良いし、逆に、受け部２から通気孔３０を通じて凹部２１に向かう方向であっても良い。また、ファンは、軸流ファンであっても良いし、貫流ファンであっても良いし、遠心ファンであっても良い。
【００５６】
〔第２の実施の形態〕
次に、図７を用いて第２の実施の形態におけるクレードル装置１Ａについて説明する。
このクレードル装置１Ａは、受け部２の中央部に複数の通気孔３０を形成する代わりに、受け部２の中央部にファン収容凹部３０Ａを形成し、そのファン収容凹部３０Ａの底に二つのファン３１Ａを設けたものである。ファン収容凹部３０Ａは、反対側の凹部２１まで貫通していない。これらファン３１Ａが作動することによって下筐体８２の背面と受け部２との間の隙間に強制対流が生じ、携帯端末機８０が冷却される。ファン収容凹部３０Ａを受け部２に形成することで、ファン３１Ａが下筐体８２に衝突しない。なお、図７に示されたクレードル装置１Ａは、ファン収容凹部３０Ａ及びファン３１Ａが設けられていることを除いて、第１実施形態のクレードル装置１と同様に構成されている。そのため、クレードル装置１Ａについては、クレードル装置１の各部と同じ構成要素に同様の符号を付してそれらの説明を省略する。
【００５７】
〔第３の実施の形態〕
次に、図８を用いて第３の実施の形態におけるクレードル装置１Ｂについて説明する。
このクレードル装置１Ｂは、受け部２の中央部にヒートシンク部材３２Ｂを取り付け、ヒートシンク部材３２Ｂによって複数の通気孔３０を閉塞したものである。ヒートシンク部材３２Ｂは受け部２の凹面よりもやや突出している。ヒートシンク部材３２Ｂは、熱伝導率の高い材料（例えば、金属、合金等）からなる。又は、ヒートシンク部材３２Ｂはペルチェ素子であり、ヒートシンク部材３２Ｂの吸熱面が上を向いて露出し、放熱面が下を向いて複数の通気孔３０を閉塞している。受け部２に携帯端末機８０を載置すると、下筐体８２の背面がヒートシンク部材３２Ｂに接し、ヒートシンク部材３２Ｂによって携帯端末機８０が冷却される。携帯端末機８０によって温められたヒートシンク部材３２Ｂの熱は複数の通気孔３０を通じて凹部２１に放熱される。なお、図８に示されたクレードル装置１Ｂは、ヒートシンク部材３２Ｂを設けたことを除いて、第１実施形態のクレードル装置１と同様に構成されている。そのため、クレードル装置１Ｂについては、クレードル装置１の各部と同じ構成要素に同様の符号を付してそれらの説明を省略する。
【００５８】
なお、本発明は、上記各実施形態に限定されることなく、本発明の趣旨を逸脱しない範囲において、種々の改良並びに設計の変更を行っても良い。
【００５９】
例えば、第３実施形態のようにヒートシンク部材３２Ｂを設けた場合でも、凹部２１の底にファンを設けても良い。この場合でも、ファンによってヒートシンク部材３２Ｂが空冷され、これにより下筐体８２の背面を効率良く冷却することができる。
【００６０】
また、上記各実施形態においては、爪部３，４、突条５，６、支持凸部９，１０及び爪部材１１によって下筐体８２の背面を受け部２から浮いた状態に支持したが、これら全てを用いずに何れかで下筐体８２の背面を受け部２から浮いた状態に支持しても良い。
【図面の簡単な説明】
【００６１】
【図１】クレードル装置１及び携帯端末機８０を示した斜視図である。
【図２】携帯端末機８０の三面図である。
【図３】クレードル装置１の斜視図である。
【図４】クレードル装置１の底面図である。
【図５】クレードル装置１の縦断面図である。
【図６】コネクタ４１を取り付けた状態のクレードル装置１の底面図である。
【図７】斜め上から見たクレードル装置１Ａの斜視図である。
【図８】横から見たクレードル装置１Ｂの縦断面図である。
【符号の説明】
【００６２】
１、１Ａ、１Ｂ  クレードル装置
２  受け部
３、４  爪部（凸部）
５、６  突条（凸部）
９、１０  支持凸部
１１  爪部材（凸部）
２１  凹部
３０  通気孔
２６〜２９  脚部
３０Ａ  ファン収容凹部
３１Ａ  ファン
３２Ｂ  ヒートシンク部材
８０  携帯端末機
【図１】
2006148465.tif 000003
【図２】
2006148465.tif 000004
【図３】
2006148465.tif 000005
【図４】
2006148465.tif 000006
【図５】
2006148465.tif 000007
【図６】
2006148465.tif 000008
【図７】
2006148465.tif 000009
【図８】
2006148465.tif 000010